(57)【要約】【課題】  部品点数の削減が図れ、製造コストの低減化が可能な弾球遊技機を提供する。【解決手段】  本発明は、遊技盤６の前面側に遊技領域１３が形成された弾球遊技機１であって、遊技領域１３に表示部８を臨ませる画像表示装置７と、遊技領域１３において受け入れた遊技球を遊技盤６の背面側に排出させる入賞装置１０，１１，１２と、遊技機１を制御する制御装置６９と、制御用配線が着脱自在に接続される中継基板４３，６２と、入賞装置１０，１１，１２の背面側を覆うように設けられた一体成形のカバー体３２とを備え、カバー体３２には、画像表示装置７と制御装置６９と中継基板４３，６２とをそれぞれ取り付け可能な取付部４４，６３，７０と、入賞装置１０，１１，１２により遊技盤６の背面側に排出された遊技球を自然落下させる空間４２，５５，５８とが形成されていることを特徴とする。【選択図】  図４
2005349010.tif 000002
【特許請求の範囲】
【請求項１】
遊技盤の前面側に遊技領域が形成された弾球遊技機であって、
前記遊技領域に表示部を臨ませる画像表示装置と、
前記遊技領域において受け入れた遊技球を前記遊技盤の背面側に排出させる入賞装置と、
遊技機を制御する制御装置と、
制御用配線が着脱自在に接続される中継基板と、
前記入賞装置の背面側を覆うように設けられた一体成形のカバー体とを備え、該カバー体には、前記画像表示装置と前記制御装置と前記中継基板とをそれぞれ取り付け可能な取付部と、前記入賞装置により前記遊技盤の背面側に排出された遊技球を自然落下させる空間とが形成されていることを特徴とする弾球遊技機。
【発明の詳細な説明】
【技術分野】
【０００１】
本発明は、遊技盤の前面側に遊技領域が形成された弾球遊技機に関し、特に、遊技領域に配設された入賞装置に入球した遊技球が遊技盤の背面側において自然落下するように構成されたカバー体を備えた弾球遊技機に関する。
【背景技術】
【０００２】
従来、パチンコ遊技機に代表される弾球遊技機において、遊技盤の前面側に遊技領域が形成されており、この遊技領域には、画像表示装置の表示部や，２連入賞口等の入賞装置が配設されている。また、遊技盤の背面側には、裏セット盤やカバー体等が取り付けられており、カバー体は入賞装置の背面側を覆うように遊技盤の背面側に着脱可能に設けられている。
【０００３】
このカバー体は、上下セパレートタイプとなっており、上側カバー体には、画像表示装置や各種基板が取り付けられており、下側カバー体には、入賞装置によって遊技盤の背面側に導かれた遊技球を集合させる球処理経路が形成されている（例えば、特許文献１参照）。
【特許文献１】特開２００４−３３５１８号公報
【発明の開示】
【発明が解決しようとする課題】
【０００４】
しかしながら、上記した従来の弾球遊技機では、カバー体が、上側カバー体と下側カバー体の複数の部材から構成されているため、部品点数が増え、製造コストの低減化が図り難いといった問題があった。
【０００５】
また、カバー体には、入賞装置に入賞した遊技球を集合させる球処理経路が入賞装置の設置位置に対応して形成されているため、カバー体の形状は遊技機毎に変える必要があった。そのため、遊技機の機種を変更する度に、カバー体も交換する必要が生じ、コストアップの要因となっていた。
【０００６】
本発明は、上記した課題を解決すべくなされたものであり、部品点数の削減が図れ、製造コストの低減化が可能な弾球遊技機を提供しようとするものである。
【課題を解決するための手段】
【０００７】
本発明は、遊技盤６の前面側に遊技領域１３が形成された弾球遊技機１であって、遊技領域１３に表示部８を臨ませる画像表示装置７と、遊技領域１３において受け入れた遊技球を遊技盤６の背面側に排出させる入賞装置１０，１１，１２と、遊技機１を制御する制御装置６９と、制御用配線が着脱自在に接続される中継基板４３，６２と、入賞装置１０，１１，１２の背面側を覆うように設けられた一体成形のカバー体３２とを備え、カバー体３２には、画像表示装置７と制御装置６９と中継基板４３，６２とをそれぞれ取り付け可能な取付部４４，６３，７０と、入賞装置１０，１１，１２により遊技盤６の背面側に排出された遊技球を自然落下させる空間４２，５５，５８とが形成されていることを特徴とする。
【発明の効果】
【０００８】
本発明によれば、カバー体が一体成形されているため、部品点数の削減が可能となり、製造コストの低減化を図ることができる。
【０００９】
また、入賞装置によって遊技盤の背面側に排出された遊技球を自然落下させるようになっているため、入賞装置に入賞した遊技球を集合させる球処理経路を入賞装置の設置位置に対応させてカバー体に形成させる必要がない。したがって、弾球遊技機の機種を変更する度に、カバー体を交換する必要がなく、カバー体の再利用を図ることができ、製造コストの低減化が可能となる等、種々の優れた効果を得ることができる。
【発明を実施するための最良の形態】
【００１０】
以下、図面を参照しつつ、本発明の実施の形態について説明する。なお、以下の説明では、本発明をパチンコ遊技機に適用した場合について例示して説明する。
【００１１】
先ず、図１〜図４を参照しつつ、パチンコ遊技機の概略構成について説明する。ここで、図１はガラス扉及び球皿を開放した状態におけるパチンコ遊技機を示す正面図、図２はパチンコ遊技機の背面図、図３はパチンコ遊技機において主制御装置を取り外した状態の遊技盤を示す背面図、図４は本発明の実施の形態に係るパチンコ遊技機１においてカバー体３２を取り外した状態の遊技盤６を示す背面図である。
【００１２】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。前枠３には、遊技盤６が収容されており、遊技盤６の前面側には、画像表示装置７の表示部８、中央飾り９、２連入賞口１０、始動入賞口１１、大入賞口１２等の入賞装置がそれぞれ配設され、遊技領域１３が形成されている。そして、２連入賞口１０及び始動入賞口１１にはそれぞれ、球検出スイッチ３３，３４が取付けられており、大入賞口１２は特定領域（Ｖゾーン）と一般領域とに区画形成され、その特定領域には特定領域通過検出スイッチ３５が取付けられている。また、遊技領域１３の最下部には、上記各入賞装置１０，１１，１２に入賞せずに落下したアウト球を排出させるアウト口１４が設けられており、アウト口１４に集められたアウト球は遊技盤６の裏面側を通って機外に排出されるようになっている。
【００１３】
前枠３の正面側には、ガラス扉１５及び球皿１６が開閉可能且つ着脱可能に取り付けられており、それらは施錠装置５及び球皿施錠装置（図示せず）により閉鎖状態に保持されるようになっている。球皿１６の正面右側下部には発射ハンドル１７が設けられており、球皿１６に前面側が覆われた前枠３の下部領域には遊技補助盤１８が形成されている。そして、この遊技補助盤１８の中央部にはスピーカ１９が配設され、スピーカ１９の正面視左側に球送り装置２０が配設されている。
【００１４】
一方、前枠３の背面側には裏セット盤２１が複数（図２では５個）のレバー２２により着脱可能に設けられている。そして、裏セット盤２１の各部には、遊技島の球貯留装置（図示せず）からの予備賞球を貯留する貯留タンク２３、貯留タンク２３内に貯留された予備賞球を整列させて流下させる予備賞球案内流路２４、球圧を軽減して予備賞球を下方に流下させるカーブレール２５、賞球の払い出し処理を行う球払出装置２６、球払出装置２６から払い出された賞球を球皿１６に導く賞球排出経路２７、各種制御装置及び電子部品に電力を供給する電源装置２８、球払出装置２６を制御する払出制御装置２９等がそれぞれ配設されている。
【００１５】
また、前枠３の背面側には、周辺部に所要数（図３では４箇所）のルータ３０が形成されており、ルータ３０に固定具３１を取り付けることにより遊技盤６が前枠３に固定されるようになっている。そして、遊技盤６の背面側には、裏セット盤２１に形成された開口部を介してカバー体３２が着脱可能に設けられている。
【００１６】
次に、主に、図４〜図６を参照しつつ、本実施の形態に係るパチンコ遊技機１におけるカバー体３２について説明する。ここで、図５はパチンコ遊技機１のカバー体３２を示す正面斜視図、図６はパチンコ遊技機１のカバー体３２を示す背面斜視図である。
【００１７】
カバー体３２は、合成樹脂製であり、背面側から見て（以降、左右方向はすべて背面側から見た場合を言うものとする。）、画像表示装置７の表示部８が臨む遊技盤６の開口部３６の左右両側方から下方に掛けて略凹型を成して形成されており、左側のカバー体上側第１部分３７と、右側のカバー体上側第２部分３８と、カバー体下側部分３９とが一体成形され、構成されている。そして、カバー体３２の外周部にはフランジ状に取付部４０が形成されており、カバー体３２は、取付部４０に穿設された各ネジ挿通孔４１を介して遊技盤６の背面にネジ止めされるようになっている。このように、カバー体３２は、カバー体上側第１部分３７及びカバー体上側第２部分３８とカバー体下側部分３９とが一体成形されているため、部品点数を削減することができ、製造コストの低減化を図ることができる。
【００１８】
カバー体上側第１部分３７は、後方に膨出するように形成され、遊技盤６の背面との間に球落下空間４２が形成されるようになっている。また、カバー体上側第１部分３７の背面側には、第１中継基板取付部４４が形成されており、第１中継基板取付部４４には、制御用配線が着脱自在に接続される第１中継基板４３が取付可能となっている。
【００１９】
この第１中継基板取付部４４には、上下左右に形成された台座部４５と、上下左側角部に形成された係止部４９と、右側台座部４５の上下に形成された取付ボス部５１とが突設されていると共に、縦型スリット状を成す放熱孔５２が所要数（図示では９個）穿設されている。そして、第１中継基板４３の角部を各係止部４９に係止すると共に第１中継基板４３の周縁部を各台座部４５に載置し、取付ボス部５１にビスを螺入することにより、第１中継基板４３が、カバー体上側第１部分３７の背面から所定距離、離間した状態で第１中継基板取付部４４に固定されるようになっている。このため、第１中継基板４３から発生した熱は、第１中継基板４３とカバー体上側第１部分３７の背面との間に形成された間隙及び放熱孔５２を介して、効率的に外部に放出されるようになる。
【００２０】
また、カバー体上側第１部分３７の背面側には、第１中継基板取付部４４より右側において上下に画像表示装置取付ボス部５４が突設されており、この画像表示装置取付ボス部５４には画像表示装置７が取付可能となっている。より具体的には、図２及び図３に示されているように、画像表示装置７の背面側に画像制御装置４６がケース４７に収容された状態で取り付けられており、そのケース４７の側部に突設された固定部４８を画像表示装置取付ボス部５４に整合させ、ネジ止めすることにより、画像表示装置４６がカバー体上側第１部分３７に固定されるようになっている。さらに、画像処理装置取付ボス部５４の上下にはそれぞれ、配線集合フック取付部５３が形成されており、その配線集合フック取付部５３に配線集合フック（図示せず）が取付可能となっている。
【００２１】
カバー体上側第２部分３８は、後方に膨出するように形成され、遊技盤６の背面との間に球落下空間５５が形成されるようになっている。そして、カバー体上側第２部分３８の背面側には、上下に画像表示装置取付ボス部５６が突設されており、この画像表示装置取付ボス部５６には画像表示装置７が取付可能となっている。より具体的には、カバー体上側第１部分３７の画像表示装置取付ボス部５４の場合と同様に、画像表示装置７は、画像制御装置４６を収容するケース４７の固定部４８を画像表示装置取付ボス部５４に整合させ、ネジ止めすることにより、カバー体上側第２部分３８に固定されるようになっている。また、下側の画像処理装置取付ボス部５６の下方には、配線集合フック取付部５７が形成されており、その配線集合フック取付部５７に配線集合フック（図示せず）が取付可能となっている。
【００２２】
カバー体下側部分３９は、カバー体上側第１部分３７及びカバー体上側第２部分３８より大きく後方に膨出して形成されており、遊技盤６の背面との間に球受け空間５８が形成されるようになっている。そして、カバー体下側部分３９の底面側には、略中央部に球排出口５９が形成されていると共に、この球排出口５９に向かって傾斜する球寄せ部６０が形成されており、２連入賞口１０から遊技盤６の背面側に排出された遊技球が球寄せ部６０に自然落下するようになっている。
【００２３】
カバー体下側部分３９の背面側には、上部中央に凹部６１が形成されており、凹部６１には第２中継基板取付部６３が形成され、この第２中継基板取付部６３に，２連入賞口１０や大入賞口１２等のための制御用配線が着脱自在に接続される第２中継基板６２（図３参照）が取付可能となっている。そして、この第２中継基板取付部６３には、上下左右に形成された台座部６４と、下側左右角部に形成された係止部６５と、上側台座部６４の間に形成された係止爪部６６とが突設されており、第２中継基板６２の角部を各係止部６５に係止すると共に第２中継基板６２の周縁部を各台座部６４に載置し、係止爪部６６に係止させることにより、第２中継基板６２が、凹部６１の背面から所定距離、離間した状態で第２中継基板取付部６３に固定されるようになっている。また、凹部６１の両側には段差部６７が形成されており、各段差部６７の背面にはそれぞれ配線集合フック６８が形成されている。
【００２４】
また、カバー体下側部分３９の背面側には、パチンコ遊技機１の作動を統括的に制御する主制御装置６９を取付可能な主制御装置取付部７０が形成されており、主制御装置６９は、偽造ＲＯＭへの差し替え等の不正改造を防止するため、始動入賞口１１等の制御用配線が着脱自在に接続される制御基板７７をケース７１に収容させた状態で主制御装置取付部７０に取り付けられるようになっている。この主制御装置取付部７０には、中央に水平短冊状に突設された位置決め係合部７２と、ケース７１の左側端部に突設された係合凸部７３（図３参照）が係合可能な係合凹部７４と、右側端部近傍においてケース７１を上下で挟持可能な一対の係止片部７５と、左側上端部において後方に延出する庇部７６とが形成されている。そして、係合凸部７３を係合凹部７４に係合させ、位置決め係合部７２にケース７１を係合させると、係止片部７５によりケース７１が挟持され、庇部７６の下方において主制御装置６９がカバー体下側部分２９に固定されるようになっている。
【００２５】
このように、第２中継基板６２の後方に主制御装置６９が取り付けられ、両者が奥行き方向に重なって配置されるようになっているため、パチンコ遊技機１の背面側のスペースの有効利用を図ることが可能となる。
【００２６】
次に、本発明の実施の形態に係るパチンコ遊技機１において、前記入賞装置に遊技球が入賞した場合の作用について説明する。
【００２７】
発射ハンドル１７の操作により、遊技領域１３に発射された遊技球が、前記入賞装置のうち、例えば、左側の２連入賞口１０に入賞した場合、遊技球は、球検出スイッチ３３によりその入賞が検出され、遊技盤６の背面側に排出される。そして、その遊技球は、カバー体上側第１部分３７の球落下空間４２及びカバー体下側部分３９の球受け空間５８を通過し、球寄せ部６０に自然落下した後、球排出口５９を通って、所定の球排出経路に誘導される。
【００２８】
また、遊技球が、前記入賞装置のうち、始動入賞口１１又は大入賞口１２の特定領域に入賞した場合には、遊技球は、球検出スイッチ３４又は特定領域通過検出スイッチ３５によりその入賞が検出され、遊技盤６の背面側に排出される。そして、その遊技球は、カバー体下側部分３９の球受け空間５８を通過し、球排出口５９に自然落下し、球排出口５９を通って、所定の球排出経路に誘導される。
【００２９】
このように，カバー体上側第１部分３７、カバー体上側第２部分３８、及びカバー体下側部分３９にはそれぞれ球落下空間４２，５５、球受け空間５８が形成されているため、２連入賞口１０等の入賞装置によって遊技盤６の背面側に排出された遊技球は、球落下空間４２又は５５、球受け空間５８を通って、球寄せ部６０又は球排出口５９に自然落下するようになっている。すなわち、入賞装置から排出された遊技球を集合させる球処理経路を入賞装置の設置位置に対応させてカバー体３２に形成させる必要がないため、パチンコ遊技機１の機種を変更する度に、カバー体３２を交換する必要がなくなり、カバー体３２の再利用を図ることができ、製造コストの低減化が可能となる。
【００３０】
さらに、遊技盤６を交換する場合には、先ず、制御基板７７から始動入賞口１１等の配線を取り外し、主制御装置６９ごとカバー体３２から取り外した後、第２中継基板６２から２連入賞口１０及び大入賞口１２のそれぞれの制御用配線を取り外し、その状態で、遊技盤６からカバー体３２を取り外すことが可能となる。そして、取り外したカバー体３２は、第１中継基板４３、第２中継基板６２をカバー体３２から取り外すことなく、新しい遊技盤６に取り付けることができる。したがって、盤面替えと称される新しい機種の遊技盤６の交換作業が簡素化され、また、カバー体３２だけでなく第１中継基板４３、第２中継基板６２、及び主制御装置６９も再利用することができるため、製造コストの一層の低減化が可能となる。
【００３１】
なお、上記実施の形態においては、カバー体３２は、遊技盤６の背面に固定されているが、前枠３の背面や裏セット盤２１等、他の部材に固定されてもよい。
【００３２】
さらに、上記実施の形態では、本発明をパチンコ遊技機に適用した場合について説明したが、これは単なる例示に過ぎず、本発明は、アレンジボール遊技機等、パチンコ遊技機以外の弾球遊技機にも適用可能であることは言う迄もない。
【図面の簡単な説明】
【００３３】
【図１】本発明の実施の形態に係るパチンコ遊技機を示す正面図である。
【図２】本発明の実施の形態に係るパチンコ遊技機を示す背面図である。
【図３】本発明の実施の形態に係るパチンコ遊技機において主制御装置を取り外した状態の遊技盤を示す背面図である。
【図４】本発明の実施の形態に係るパチンコ遊技機においてカバー体を取り外した状態の遊技盤を示す背面図である。
【図５】本発明の実施の形態に係るパチンコ遊技機におけるカバー体を示す正面斜視図である。
【図６】本発明の実施の形態に係るパチンコ遊技機におけるカバー体を示す背面斜視図である。
【符号の説明】
【００３４】
１          パチンコ遊技機
６          遊技盤
７          画像表示装置
８          表示部
１０        ２連入賞口
１１        始動入賞口
１２        大入賞口
１３        遊技領域
３２        カバー体
４２        球落下空間
４３        第１中継基板
４４        第１中継基板取付部
５５        球落下空間
５８        球受け空間
６２        第２中継基板
６３        第２中継基板取付部
６９        主制御装置
７０        主制御装置取付部
【図１】
2005349010.tif 000003
【図２】
2005349010.tif 000004
【図３】
2005349010.tif 000005
【図４】
2005349010.tif 000006
【図５】
2005349010.tif 000007
【図６】
2005349010.tif 000008